(57)【要約】【課題】カメラマンが煩雑さを解消しつつテレビカメラ装置を両手で操作しながら台本をページめくりすることのできるテレビカメラ装置の電子台本装置を提供すること。【解決手段】本発明のテレビカメラ装置の電子台本装置は、撮影画像に重畳させて現在設定されているＡＦ枠の範囲を表示するテレビカメラ装置の表示手段にて表示された前記ＡＦ枠の制御に関する指示をするためのメニュー画像を前記撮影画像に重畳させたＡＦ枠制御指示画像を表示するメニュー表示手段と、台本情報を読み込む読込み手段と、前記メニュー表示手段の表示を制御するものであって、前記読込み手段にて読み込まれた前記台本情報の画像を前記メニュー表示手段に表示させる制御機能を備える表示制御手段と、前記メニュー表示手段に表示された前記台本情報の画像を操作する操作手段を有すること、を特徴とする。【選択図】図１
2010148039.tif 000002
【特許請求の範囲】
【請求項１】
撮影画像に重畳させて現在設定されているＡＦ枠の範囲を表示するテレビカメラ装置の表示手段にて表示された前記ＡＦ枠の制御に関する指示をするためのメニュー画像を前記撮影画像に重畳させたＡＦ枠制御指示画像を表示するメニュー表示手段と、
台本情報を読み込む読込み手段と、
前記メニュー表示手段の表示を制御するものであって、前記読込み手段にて読み込まれた前記台本情報の画像を前記メニュー表示手段に表示させる制御機能を備える表示制御手段と、
前記メニュー表示手段に表示された前記台本情報の画像を操作する操作手段を有すること、
を特徴とするテレビカメラ装置の電子台本装置。
【請求項２】
前記表示制御手段は、前記メニュー表示手段に前記ＡＦ枠制御指示画像と前記台本情報の画像を切り換えて表示させる制御機能を備えること、
を特徴とする請求項１のテレビカメラ装置の電子台本装置。
【請求項３】
前記表示制御手段は、前記メニュー表示手段に前記ＡＦ枠制御指示画像と前記台本情報の画像の両方を表示させる制御機能を備えること、
を特徴とする請求項１または２のテレビカメラ装置の電子台本装置。
【請求項４】
前記操作手段が、フォーカス操作を行なうためのフォーカスデマンドに設けられていること、
を特徴とする請求項１乃至３のいずれか１つのテレビカメラ装置の電子台本装置。
【請求項５】
前記操作手段が、ズーム操作を行なうためのズームレートデマンドに設けられていること、
を特徴とする請求項１乃至４のいずれか１つのテレビカメラ装置の電子台本装置。
【請求項６】
前記メニュー表示手段はタッチパネルであり、当該タッチパネルには前記台本情報の画像を操作するコマンドボタンが表示されること、
を特徴とする請求項１乃至５のいずれか１つのテレビカメラ装置の電子台本装置。
【請求項７】
前記メニュー表示手段及び前記操作手段は一つのユニットとして前記テレビカメラ装置に着脱自在に取り付けられていること、
を特徴とする請求項１乃至６のいずれか１つのテレビカメラ装置の電子台本装置。
【発明の詳細な説明】
【技術分野】
【０００１】
本発明は電子台本装置に係り、特に、テレビカメラ装置に取り付けられた表示器などに台本情報を表示するテレビカメラ装置の電子台本装置に関する。
【背景技術】
【０００２】
従来、テレビ番組の製作においては台本が存在し、この台本には、視聴者に伝えるべき情報や、その伝え方（撮影手順やカット割りなどの撮影手法）が記述されている。カメラマンは、この台本の内容に従ってテレビカメラ装置を操作し、撮影を行っている。
【０００３】
ところで、テレビカメラ装置には、台本バサミが取り付けられており、台本を開いた状態で固定できるようになっている。カメラマンは、この台本バサミに固定された台本をページめくりして読みながら、テレビカメラ装置を操作している。
【０００４】
また、特許文献１，２に記載された発明では、テレビカメラ装置に取り付けられたビューファインダまたは表示器に台本情報を表示している。
【特許文献１】特開２００２−３５４２９６号公報
【特許文献２】特開２００２−３５４２９７号公報
【発明の開示】
【発明が解決しようとする課題】
【０００５】
しかしながら、紙製の台本は、ページめくりする度に音が出たり、ページを間違えて開いたりするという問題があった。また、カメラマンが両手を使ってテレビカメラ装置を操作すると、台本をページめくりすることができないという問題があった。
【０００６】
また、特許文献１，２に記載された発明において、ビューファインダまたは表示器以外に別途ビューファインダのＡＦ枠の制御に関する指示をするためのメニュー表示を行なうメニュー表示部を設けたときには、ビューファインダまたは表示器に表示された台本情報とメニュー表示部に表示されたＡＦ枠の制御に関する指示をするためのメニューとを個別に確認する必要があり、カメラマンの煩雑さを解消できない問題がある。
【０００７】
本発明はこのような事情に鑑みてなされたもので、カメラマンが煩雑さを解消しつつテレビカメラ装置を両手で操作しながら台本をページめくりすることのできるテレビカメラ装置の電子台本装置を提供すること、を目的とする。
【課題を解決するための手段】
【０００８】
前記目的を達成するために本発明のテレビカメラ装置の電子台本装置は、撮影画像に重畳させて現在設定されているＡＦ枠の範囲を表示するテレビカメラ装置の表示手段にて表示された前記ＡＦ枠の制御に関する指示をするためのメニュー画像を前記撮影画像に重畳させたＡＦ枠制御指示画像を表示するメニュー表示手段と、台本情報を読み込む読込み手段と、前記メニュー表示手段の表示を制御するものであって、前記読込み手段にて読み込まれた前記台本情報の画像を前記メニュー表示手段に表示させる制御機能を備える表示制御手段と、前記メニュー表示手段に表示された前記台本情報の画像を操作する操作手段を有すること、を特徴とする。
【０００９】
かかる態様によれば、テレビカメラ装置の表示手段にて表示されたＡＦ枠の制御に関する指示をするためのメニュー画像を撮影画像に重畳させたＡＦ枠制御指示画像を表示するメニュー表示手段と、読み込まれた台本情報の画像をメニュー表示手段に表示させる制御機能を備える表示制御手段と、メニュー表示手段に表示された台本情報の画像を操作する操作手段を有するので、カメラマンは煩雑さを解消しつつテレビカメラ装置を両手で操作しながら台本の画像を操作することができる。
【００１０】
本発明の一態様として、前記表示制御手段は、前記メニュー表示手段に前記ＡＦ枠制御指示画像と前記台本情報の画像を切り換えて表示させる制御機能を備えること、を特徴とする。
【００１１】
かかる態様によれば、メニュー表示手段にＡＦ枠制御指示画像と台本情報の画像を切り換えて表示させるので、カメラマンはメニュー表示手段のみでＡＦ枠制御指示画像と台本情報の画像を確認することができ、カメラマンは煩雑さを解消しつつテレビカメラ装置を両手で操作しながら台本の画像を操作することができる。
【００１２】
本発明の一態様として、前記表示制御手段は、前記メニュー表示手段に前記ＡＦ枠制御指示画像と前記台本情報の画像の両方を表示させる制御機能を備えること、を特徴とする。
【００１３】
かかる態様によれば、メニュー表示手段にＡＦ枠制御指示画像と台本情報の画像の両方を表示させるので、カメラマンはメニュー表示手段でＡＦ枠制御指示画像と台本情報の画像の両方の画像を確認することができ、カメラマンは煩雑さを解消しつつテレビカメラ装置を両手で操作しながら台本の画像を操作することができる。
【００１４】
本発明の一態様として、前記操作手段が、フォーカス操作を行なうためのフォーカスデマンドに設けられていること、を特徴とする。
【００１５】
かかる態様によれば、操作手段が、フォーカス操作を行なうためのフォーカスデマンドに設けられているので、カメラマンは煩雑さを解消しつつフォーカス操作を行ないながら台本の画像を操作することができる。
【００１６】
本発明の一態様として、前記操作手段が、ズーム操作を行なうためのズームレートデマンドに設けられていること、を特徴とする。
【００１７】
かかる態様によれば、操作手段が、ズーム操作を行なうためのズームレートデマンドに設けられているので、カメラマンは煩雑さを解消しつつズーム操作を行ないながら台本の画像を操作することができる。
【００１８】
本発明の一態様として、前記メニュー表示手段はタッチパネルであり、当該タッチパネルには前記台本情報の画像を操作するコマンドボタンが表示されること、を特徴とする。
【００１９】
かかる態様によれば、メニュー表示手段のタッチパネルには台本情報の画像を操作するコマンドボタンが表示されるので、カメラマンは煩雑さを解消しつつタッチパネルでコマンドボタンを入力して台本の画像を操作することができる。
【００２０】
本発明の一態様として、前記メニュー表示手段及び前記操作手段は一つのユニットとして前記テレビカメラ装置に着脱自在に取り付けられていること、を特徴とする。
【００２１】
かかる態様によれば、各ユニットをテレビカメラ装置から取り外して持ち運ぶことができ、台本情報の画像の操作などを容易に行うことができる。
【発明の効果】
【００２２】
本発明によれば、カメラマンは煩雑さを解消しつつテレビカメラ装置を両手で操作しながら台本をページめくりすることができる。
【発明を実施するための最良の形態】
【００２３】
以下、添付図面を参照して、本発明に係るテレビカメラ装置について詳細に説明する。
【００２４】
図１は、本発明が適用されるテレビカメラシステムの一実施の形態を示した外観図である。同図に示すようにテレビカメラ１０は、主に放送用又は業務用に使用されるテレビカメラであり、レンズ装置１２とカメラ本体１４とで構成され、ペデスタルドリー１６上に設置された雲台１８に支持されている。
【００２５】
雲台１８には、左右２本のパン棒２２、２４が延設されており、右側のパン棒２２のグリップ部２２Ａには、フォーカスデマンド（フォーカスコントローラ）２６がマウンティングクランプ３８によって設置され、左側のパン棒２４のグリップ部にはズームレートデマンド（ズームコントローラ）２８が設置されている。
【００２６】
フォーカスデマンド２６には、回動可能なフォーカスノブ３０が設けられており、マニュアルフォーカス（ＭＦ）によりフォーカス制御を行う際に、このフォーカスノブ３０を回動操作すると、その回動位置に応じたフォーカス位置を目標位置としてフォーカス（フォーカスレンズ）の移動を指令するフォーカス制御信号がフォーカスデマンド２６からレンズ装置１２に与えられる。これにより、レンズ装置１２のフォーカスレンズがフォーカス制御信号によって指令された目標位置に移動する。
【００２７】
ズームレートデマンド２８には、回動可能なサムリング３４が設けられており、そのサムリング３４を左右方向に回動操作すると、回動位置に応じたズーム速度を目標速度としてズーム（ズームレンズ）の移動を指令するズーム制御信号がズームレートデマンド２８からレンズ装置１２に与えられる。これにより、レンズ装置１２のズームレンズがズーム制御信号によって指令された目標速度で移動する。
【００２８】
また、図では省略するが、フォーカスデマンド２６には、オートフォーカス（ＡＦ）に関する各種操作部材が設けられると共に、ＡＦによりピントを合わせる対象の被写体範囲（ＡＦの対象範囲）を示すＡＦ枠の制御（位置等の変更）を行うためのＡＦ枠制御装置（ＡＦ枠自動追尾装置）が組み込まれ、そのＡＦ枠制御装置の各種操作部材もフォーカスデマンド２６に設けられている。
【００２９】
更に、ＡＦ枠制御装置の構成要素として同図のようにタッチパネル付き液晶ディスプレイ（ＬＣＤ）４０が設置具によりフォーカスデマンド２６の本体２６ａ（図２参照）上部に設置され、図示しないケーブルでフォーカスデマンド２６に接続されている。
【００３０】
尚、以下において、単にＬＣＤ４０と記した場合にはこのタッチパネル付き液晶ディスプレイ４０を示す。また、ＬＣＤ４０は、フォーカスデマンド２６の本体上部以外の任意の位置に設置することが可能である。例えば、ビューファインダ３６の横に設置してもよい。
【００３１】
後述するように、本発明では、このＬＣＤ４０は台本情報の画像を表示する機能を有する。
【００３２】
カメラ本体１４の上には、表示装置であるビューファインダ３６が設置されている。このビューファインダ３６には、本テレビカメラ１０で撮影されている被写体の映像が表示されるため、カメラマンはその映像を見ながらフォーカスデマンド２６やズームレートデマンド２８を操作することによって所望の構図で被写体を撮影することができるようになっている。尚、以下において、撮影映像又は撮影画像と称した場合には、テレビカメラ１０で現在撮影されている映像又は画像を示すものとする。
【００３３】
また、ビューファインダ３６に表示される撮影映像には、現在ＡＦ枠が設定されている位置、大きさ、形状（縦横比）を示すＡＦ枠の画像が重畳されて表示されるようになっており、ＡＦによりフォーカス制御を行う場合には撮影映像内のどの範囲の被写体にピントが合わせられるかを知ることができるようになっている。尚、ＭＦとＡＦのフォーカス制御は、フォーカスデマンド２６に設けられたフォーカスモードスイッチ等で切り換えられるようになっている。
【００３４】
ここで、図２はフォーカスデマンド２６の外観図である。図２に示すように、フォーカスノブ３０の左側（マウンティングクランプ３８側）にある本体２６ａには、後述する操作部材１００、１０２、１０４、１０８、１１０の他に、図１のＬＣＤ４０の表示モードをＡＦ枠追尾表示モードと台本表示モードに切り換える表示モード切換スイッチ３２が設けられている。
【００３５】
また、表示モード切換スイッチ３２の両側には、ＰＡＧＥＵＰボタン３２ＡとＰＡＧＥＤＯＷＮボタン３２Ｂも設けられている。このＰＡＧＥＵＰボタン３２ＡとＰＡＧＥＤＯＷＮボタン３２Ｂを押圧操作すると、図１のＬＣＤ４０に表示された台本情報がページめくりされる。すなわち、ＰＡＧＥＵＰボタン３２Ａを押圧することによって台本情報が次ページに切り換えられ、ＰＡＧＥＤＯＷＮボタン３２Ｂを押圧することによって台本情報が前ページに切り換えられる。なお、ＰＡＧＥＵＰボタン３２ＡとＰＡＧＥＤＯＷＮボタン３２Ｂによる台本情報の操作は、ページめくりに限定するものではなく、表示中の台本情報を上下や左右にスクロールするものであってもよい。
【００３６】
なお、フォーカスデマンド２６の本体２６ａ上部に設置されたＬＣＤ４０は、着脱自在に取り付けられていてもよい。このように着脱自在に取り付けられていれば、ＬＣＤ４０をフォーカスデマンド２６の本体２６ａから取り外して持ち運ぶことができ、台本情報の入力作業などを容易に行なうことができる。
【００３７】
また、表示モード切換スイッチ３２やＰＡＧＥＵＰボタン３２ＡとＰＡＧＥＤＯＷＮボタン３２Ｂからなる操作手段も、一つのユニットとして着脱自在に取り付けられていてもよい。
【００３８】
図３は、上記テレビカメラシステムに適用されるＡＦ枠自動追尾システムの全体構成を示したブロック図である。
【００３９】
同図のＡＦ枠自動追尾システム１には、図１に示したテレビカメラ１０のレンズ装置１２及びカメラ本体１４とビューファインダ３６が示されている。また、図１のフォーカスデマンド２６の構成要素として、フォーカス操作部５０と、フォーカスデマンド２６に組み込まれたＡＦ枠制御装置（ＡＦ枠自動追尾装置）を構成する画像処理ユニット５８及びＡＦ枠操作部６０が示されている。
【００４０】
テレビカメラ１０は、ハイビジョンテレビ［ＨＤ（High Definition)ＴＶ］方式に対応したＨＤカメラからなるカメラ本体１４と、カメラ本体１４のレンズマウントに装着される撮影レンズ（光学系）を備えたレンズ装置１２とから構成される。
【００４１】
カメラ本体１４には、撮像素子（例えばＣＣＤ）や所要の信号処理回路等が搭載されており、レンズ装置１２の撮影レンズにより結像された像は、撮像素子により光電変換された後、信号処理回路によって所要の信号処理が施されてＨＤＴＶ方式の映像信号（ＨＤＴＶ信号）として、カメラ本体１４の映像信号出力端子等から外部に出力される。
【００４２】
また、図１のようにカメラ本体１４の上部等に設置されるビューファインダ３６には、テレビカメラ１０の撮影映像が表示されるようになっている。ビューファインダ３６には、撮影映像以外の各種情報が表示されるようになっており、例えば、現在の設定されているＡＦ枠の範囲（位置、大きさ、形状）を示す画像が撮影映像に重畳されて表示されるようになっている。
【００４３】
レンズ装置１２は、カメラ本体１４のレンズマウントに装着される撮影レンズ（ズームレンズ）６４を備えており、その撮影レンズ６４により、被写体５６がカメラ本体１４の撮像素子の撮像面に結像されるようになっている。撮影レンズ６４には、図示を省略するが、その構成要素としてフォーカスレンズ群、ズームレンズ群、絞りなどの撮影条件を調整するための可動部が設けられており、それらの可動部は、モータ（サーボ機構）によって電動駆動されるようになっている。例えば、フォーカスレンズ群やズームレンズ群は光軸方向に移動し、フォーカスレンズ群が移動することによってフォーカス（被写体距離）調整が行われ、またズームレンズ群が移動することによって焦点距離（ズーム倍率）調整が行われる。
【００４４】
尚、ＡＦに関するシステムにおいては、少なくともフォーカスレンズ群が電動で駆動できればよく、その他の可動部は手動でのみ駆動可能であってもよい。
【００４５】
また、レンズ装置１２には、ＡＦユニット６６及び図示しないレンズＣＰＵ等が搭載されている。レンズＣＰＵはレンズ装置１２全体を統括制御するものである。また、ＡＦユニット６６は、ＡＦによるフォーカス制御（自動ピント調整）を行うために必要な情報を取得するための処理部であり、図示を省略するが、ＡＦ処理部、ＡＦ用撮像回路等から構成されている。
【００４６】
ＡＦ用撮像回路はＡＦ処理用の映像信号を取得するためにレンズ装置１２に配置されており、ＣＣＤ等の撮像素子（ＡＦ用撮像素子という）やＡＦ用撮像素子の出力信号を所定形式の映像信号として出力する処理回路等を備えている。尚、ＡＦ用撮像回路から出力される映像信号は輝度信号である。
【００４７】
ＡＦ用撮像素子の撮像面には、撮影レンズ６４の光路上に配置されたハーフミラー等によってカメラ本体１４の撮像素子に入射する被写体光から分岐された被写体光が結像するようになっている。ＡＦ用撮像素子の撮像エリアに対する撮影範囲及び被写体距離（ピントが合う被写体の距離）は、カメラ本体１４の撮像素子の撮像エリアに対する撮影範囲及び被写体距離に一致するように構成されており、ＡＦ用撮像素子により取り込まれる被写体画像は、カメラ本体１４の撮像素子により取り込まれる被写体画像と一致している。なお、両者の撮影範囲に関しては完全に一致している必要はなく、例えば、ＡＦ用撮像素子の撮影範囲の方がカメラ本体１４の撮像素子の撮影範囲を包含する大きな範囲であってもよい。
【００４８】
ＡＦ処理部は、ＡＦ用撮像回路から映像信号を取得し、その映像信号に基づいてＡＦの対象範囲とするＡＦエリア（ＡＦ枠）の範囲内における被写体画像のコントラストの高低を示す焦点評価値を算出する。例えば、ＡＦ用撮像素子から得られた映像信号から高域周波数成分の信号をハイパスフィルタによって抽出した後、その高域周波数成分の信号のうち後述のようにして設定されるＡＦエリアに対応する範囲の信号を１画面（１フレーム）分ずつ積算する。このようにして１画面分ごとに得られる積算値はＡＦエリア内の被写体画像のコントラストの高低を示し、その積算値が焦点評価値としてレンズＣＰＵに与えられる。
【００４９】
レンズＣＰＵは、ＡＦエリアの範囲（輪郭）を示すＡＦ枠の情報（ＡＦ枠情報）を、後述するように画像処理ユニット５８から取得し、そのＡＦ枠情報により指定されたＡＦ枠内の範囲をＡＦエリアとしてＡＦ処理部に指定する。そして、そのＡＦエリア内の画像（映像信号）により求められる焦点評価値をＡＦ処理部から取得する。
【００５０】
このようにしてＡＦ用撮像回路から１画面分の映像信号が取得されるごとに（ＡＦ処理部で焦点評価値が求められるごとに）ＡＦ処理部から焦点評価値を取得すると共に、取得した焦点評価値が最大（極大）、即ち、ＡＦ枠内の被写体画像のコントラストが最大となるようにフォーカスレンズ群を制御する。例えば、焦点評価値に基づくフォーカスレンズ群の制御方式として山登り方式が一般的に知られており、フォーカスレンズ群を焦点評価値が増加する方向に移動させて行き、焦点評価値が減少し始める点を検出すると、その位置にフォーカスレンズ群を設定する。これにより、ＡＦ枠内の被写体に自動でピントが合わせられる。
【００５１】
尚、上述のＡＦ処理部は、焦点評価値を算出するために、レンズ装置１２に搭載されたＡＦ用撮像素子から映像信号を取得しているが、カメラ本体１４の撮像素子より撮影された映像の映像信号をカメラ本体１４から取得するような構成としてもよい。また、ＡＦ枠内の被写体に自動でピントを合わせるためのＡＦ手段はどのようなものであってもよい。
【００５２】
また、レンズ装置１２は、ケーブルを介して、又は、直接的にカメラ本体１４と接続され、レンズ装置１２とカメラ本体１４の各々に設けられたシリアル通信インターフェース（ＳＣＩ）１２ａ、１４ａを通じて各種情報のやり取りが行えるようになっている。これによりＡＦユニット６６において現在設定されているＡＦ枠の情報もカメラ本体１４に送信され、カメラ本体１４内での処理によってビューファインダ３６に表示される撮影映像に現在設定されているＡＦ枠の位置、大きさ、形状に対応したＡＦ枠の画像が重畳表示されるようになっている。
【００５３】
フォーカス操作部５０は、フォーカスデマンド２６の構成要素であると共に、一般的なフォーカスデマンドが備えている構成要素を示している。フォーカス操作部５０の構成要素として、図１に示したフォーカスノブ３０、ＡＦモードとＭＦモードの切換えやＡＦモードの種類（連続モードやモーメンタリモード）の切換えを行うためのモードスイッチ（図示せず）、ＡＦの開始を指示するＡＦ開始スイッチ（図示せず）等、ＡＦの制御内容やＭＦの制御に関する操作部材を備えると共に、それらの操作部材の設定状態を検出し、検出した設定状態に基づいて制御信号を送出する処理回路等を備えている。
【００５４】
フォーカスデマンド２６にはレンズ装置１２とケーブルで接続するためのインターフェース（Ｉ／Ｆ）５２が設けられており、フォーカス操作部５０はそのＩ／Ｆ５２及びケーブルを介してレンズ装置１２に接続され、ＳＣＩ１２ａを通じてレンズＣＰＵとの間のシリアル通信により各種信号のやり取りが行えるようになっている。
【００５５】
これにより、フォーカス操作部５０から送出された各種制御信号がレンズＣＰＵに与えられ、その制御信号に従った処理がレンズＣＰＵで実行されるようになっている。例えば、ＡＦによるフォーカス制御（ＡＦモード）の指示が与えられた場合には、上記のようにＡＦユニット６６から得られる焦点評価値に基づいてＡＦによるフォーカス制御が行われ、ＭＦによるフォーカス制御（ＭＦモード）の指示が与えられた場合には、フォーカスノブ３０の操作に基づいてフォーカス操作部５０から与えられるフォーカス位置指令信号に従ってＭＦによるフォーカス制御が行われるようになっている。
【００５６】
画像処理ユニット５８は、フォーカスデマンド２６にＡＦ枠制御装置の構成要素として組み込まれた処理部であり、レンズ装置１２のＡＦユニット６６において設定されるＡＦ枠の範囲（位置、大きさ、形状（縦横比））を後述のマニュアル操作又はＡＦ枠自動追尾の処理により指定するための処理部である。
【００５７】
画像処理ユニット５８は、ＳＣＩ７０を備えており、そのＳＣＩ７０は、上記Ｉ／Ｆ５２を介してレンズ装置１２に接続され、ＳＣＩ１２ａを通じてレンズＣＰＵとの間で各種信号のやり取りが行えるようになっている。これにより、ＡＦ枠の範囲を指定するＡＦ枠情報が画像処理ユニット５８からレンズ装置１２のレンズＣＰＵに与えられ、そのＡＦ枠情報に基づいてＡＦユニット６６におけるＡＦ枠の範囲が設定される。
【００５８】
また、フォーカスデマンド２６には画像処理ユニット５８に映像信号を取り込むための映像入力コネクタが設けられており、その映像入力コネクタにカメラ本体１４の映像出力コネクタがダウンコンバータ６８を介してケーブルで接続される。これによって、カメラ本体１４の映像出力コネクタから出力されたＨＤＴＶ信号が、ダウンコンバータ６８によって、標準テレビ［ＮＴＳＣ（National Television System Committee)]方式の映像信号（ＳＤＴＶ信号）に変換（ダウンコンバート）されて、画像処理ユニット５８に入力されるようになっている。
【００５９】
詳細は後述するが画像処理ユニット５８は、ＡＦ枠自動追尾処理を実行する際に、カメラ本体１４から入力された映像信号から１コマ分の撮撮画像を順次取り込み、撮影画像の中から所定の追尾対象の被写体を検出する処理を行う。そして、ＡＦによりその被写体にピントが合わせられるようにＡＦ枠の範囲を決定し、決定したＡＦ枠の範囲をレンズ装置１２のレンズＣＰＵに送信する。
【００６０】
尚、画像処理ユニット５８の構成及び処理内容については後述する。
【００６１】
ＡＦ枠操作部６０は、ＡＦ枠制御装置としてフォーカスデマンド２６に画像処理ユニット５８と共に一体的に設けられ、又は、その一部又は全てが、フォーカスデマンド２６とは別体の装置、即ち、画像処理ユニット５８とは別体の装置に設けられてケーブル等で接続されている。本実施の形態では、図１のようにタッチパネル付きＬＣＤ４０がフォーカスデマンド２６（画像処理ユニット５８）とは別体で設けられ、他の構成要素はフォーカスデマンド２６に画像処理ユニット５８と共に設けられている。
【００６２】
ＡＦ枠操作部６０は、主にＡＦ枠の制御に関する操作を行うための操作部であり、ＡＦ枠の範囲を操作者がマニュアル操作で指示入力するための操作部材や、ＡＦ枠を所望の被写体に自動で追尾させるＡＦ枠自動追尾に関する操作を行うための操作部材を備えている。
【００６３】
図２のフォーカスデマンド２６の外観図にも併せて示すように、ＡＦ枠操作部６０の操作部材として、ＡＦ枠の位置をユーザの手動操作により上下左右に移動させるための位置操作部材１００（例えば、ジョイスティックやトラックボール）、ＡＦ枠の大きさを手動操作により変更するためのサイズ操作部材１０２（例えば、ツマミ)、ＡＦ枠の形状を手動操作により変更するための形状操作部材１０４（例えば、ツマミ）、ＡＦ枠自動追尾の開始を指示する追尾開始スイッチ１０８、ＡＦ枠自動追尾の停止を指示する追尾停止スイッチ１１０が設けられており、これらの操作部材１００、１０２、１０４、１０８、１１０の設定状態が、画像処理ユニット５８（後述のメインボード７０のＣＰＵ７８）により読み取られるようになっている。
【００６４】
また、ＡＦ枠操作部６０のＬＣＤ４０は、ＡＦ枠自動追尾に関するモード等の設定をタッチ操作（タップ操作）で入力できるようにしたもので、画像処理ユニット５８のＣＰＵ７８によりＬＣＤ４０に表示される画像（例えば、ＡＦ枠制御指示画像や台本情報の画像）が設定内容に応じて適宜切り換えられるようになっている。ＬＣＤ４０の表示及び操作については後述する。
【００６５】
尚、本実施の形態では、画像処理ユニット５８やＡＦ枠操作部６０を備えたＡＦ枠制御装置がフォーカスデマンド２６に組み込まれた態様を示したが、ＡＦ枠制御装置はフォーカスデマンド２６とは別体の装置として構成してもよい。また、この場合に、ＡＦ枠操作部６０は、その一部又は全てを画像処理ユニット５８と一体の装置に設けられてもよいし、別体の装置に設けてもよい。
【００６６】
次に画像処理ユニット５８の構成及び処理内容について説明する。
【００６７】
画像処理ユニット５８は、主としてメインボード７０、パターンマッチング処理演算ボード７２、顔認識処理演算ボード７４から構成されている。メインボード７０、パターンマッチング処理演算ボード７２、顔認識処理演算ボード７４の各々にはＣＰＵ７８、９０、９２が搭載されており、各ボード毎に個別の演算処理が行われると共に、各ＣＰＵ７８、９０、９２は、バスや制御線で接続され、相互にデータのやり取りや、演算処理の同期等が図られるようになっている。
【００６８】
画像処理ユニット５８における処理は、メインボード７０において統括的に行われるようになっている。そのメインボード７０には、演算処理を行う上記ＣＰＵ７８の他に、ＳＣＩ７０ａ、デコーダ（Ａ／Ｄ変換器）７６、スーパーインポーザ８２、ＲＡＭ８０等が搭載されている。
【００６９】
ＳＣＩ７０ａは、上述のようにレンズ装置１２のＳＣＩ１２ａとの間でシリアル通信を行うためのインターフェース回路であり、上記ＡＦ枠情報等をレンズ装置１２に送信する。
【００７０】
デコーダ７６は、上記ダウンコンバータ６８から画像処理ユニット５８に入力されるテレビカメラ１０の撮影映像の映像信号（ＳＤＴＶ信号）を、画像処理ユニット５８においてデジタル処理可能なデータに変換するための回路であり、アナログのＳＤＴＶ信号をデジタルデータの映像信号に変換するＡ／Ｄ変換処理等を行っている。
【００７１】
スーパーインポーザ８２は、上記のデコーダ７６により得られた撮影映像の映像信号と、ＣＰＵ７８により生成される画像信号とを合成し、その合成した映像信号をＬＣＤ４０に出力・表示する回路である。これにより、カメラ本体１４に設置されているビューファインダ３６と同様にテレビカメラ１０の撮影映像がＬＣＤ４０に表示されると共に、その撮影映像に重ねて、現在設定されているＡＦ枠の範囲を示すＡＦ枠の画像や、タッチパネルでの入力操作を行えるようにしたメニュー画面（メニュー画像）等がＬＣＤ４０に表示される。尚、撮影映像に重畳させることなくＣＰＵ７８で生成された画像のみを表示させることも当然可能である。
【００７２】
ＲＡＭ８０は、ＣＰＵ７８の演算処理において使用するデータを一時的に格納するメモリである。
【００７３】
一方、パターンマッチング処理演算ボード７２や顔認識処理演算ボード７４は、パターンマッチングと顔検出・認識処理を個別に行うための演算ボードであり、各々、演算処理を行うＣＰＵ９０、９２の他に画像データを一時的に格納するＶＲＡＭ９４、９６等を備えている。
【００７４】
また、画像処理ユニット５８には、ＳＤ（Secure Digital）カードやＵＳＢメモリなどの外部メモリとしてデータカード１１４を装填するスロット１１５が設けられており、顔認識により特定の人物の顔を検出する際に、その特定の人物の顔を示す認証データを予めデータカード１１４に保存しておき、そのデータカード１１４をスロット１１５に装填することで、顔認識に必要な認証データをデータカード１１４からＣＰＵ７８が読み込めるようになっている。
【００７５】
また、台本情報を予めデータカード１１４に保存しておき、そのデータカード１１４をスロット１１５に装填することで、台本情報をデータカード１１４からＣＰＵ７８が読み込めるようになっている。
【００７６】
なお、図示しないが、ＣＰＵ７８とスロット１１５の間にメモリなどの記憶手段を設け、台本情報はデータカード１１４から一旦記憶手段で記憶されることとしてもよい。このときＣＰＵ７８は、表示モード切換スイッチ３２により台本表示モードに切り換えられたり、ＰＡＧＥＵＰボタン３２ＡやＰＡＧＥＤＯＷＮボタン３２Ｂが操作されると、記憶手段に制御信号を出力する。そして、これにより記憶手段に記憶された台本情報がＬＣＤ４０に出力され、ＬＣＤ４０に台本情報が表示される。
【００７７】
続いて、上記のごとく構成された画像処理ユニット５８によるＡＦ枠の制御についてＬＣＤ４０の表示及び操作に関する処理と共に説明する。
【００７８】
まず、ＬＣＤ４０の表示及び操作に関して説明する。
【００７９】
撮影時、カメラマンは、右手でフォーカスデマンド２６を把持し、左手でズームレートデマンド２８を把持している。そこで、フォーカスデマンド２６の本体２６ａに設けられた表示モード切換スイッチ３２によりＬＣＤ４０の表示モードをＡＦ枠追尾表示モードにする。
【００８０】
すると、図４に示すようにＬＣＤ４０の画面４０ａには、テレビカメラ１０の撮影映像に重畳して各種ボタン３００〜３１４からなるメニュー画面（メニュー画像）と、現在設定されているＡＦ枠の範囲を示すＡＦ枠の画像２０４（単にＡＦ枠２０４という）からなる画像（以下、ＡＦ枠制御指示画像という）が表示される。メニュー画面の各種ボタン３００〜３１４やＡＦ枠２０４のように撮影映像に重畳される画像は、図３に示した画像処理ユニット５８におけるメインボード７０のＣＰＵ７８により生成され、それらの画像が、スーパーインポーザ８２においてデコーダ７６から得られるテレビカメラ１０の撮影映像に重畳されてＬＣＤ４０に表示されるようになっている。尚、ＬＣＤ４０の表示（表示内容）に関する制御はＣＰＵ７８により行われるものである。
【００８１】
一方、ＬＣＤ４０はタッチパネルを備えており、ＬＣＤ４０の画面４０ａに対して指先等が触れるタッチ操作が行われると、触れた位置（座標）を示す位置情報がＣＰＵ７８に与えられるようになっている。これにより、ＬＣＤ４０の画面４０ａに対して行われたタッチ操作の位置や操作の種類（タップ操作、ダブルタップ操作等）がＣＰＵ７８により検出されるようになっている。そして、その操作に従った処理がＣＰＵ７８により実行されるようになっている。
【００８２】
ＬＣＤ４０の画面４０ａにおける基本的な操作として、各種ボタン３００〜３１４に予め割り当てられた指示を入力する操作や、ＡＦ枠２０４の範囲を指定する操作があり、前者の操作は、各種ボタン３００〜３１４の位置を指先等でタップ操作するものである。後者のＡＦ枠２０４の範囲を指定する操作は、例えば、撮影映像が表示されたＬＣＤ４０の画面４０ａ上において、ＡＦ枠２０４を移動させたい位置をタップ操作すれば、その位置が中心となるようにＡＦ枠２０４を移動させることができる。また、ＡＦ枠２０４の頂点や辺を指先等でタッチしてそのままスライドするドラッグ操作によってドラッグ操作した位置までタッチした頂点や辺の位置を移動させてＡＦ枠２０４の大きさや形状を変更することができる。
【００８３】
ＬＣＤ４０の画面４０ａに表示されるメニュー画面（メニュー画像）について説明すると、図４において、”固定”と表示された固定モード選択ボタン３００、”物体追尾”と表示された物体追尾モード選択ボタン３０２、”顔検出”と表示された顔検出追尾モード選択ボタン３０４、”顔認識”と表示された顔認識追尾モード選択ボタン３０６は、ＡＦ枠の制御モードを選択するボタンであり、これらのボタン３００〜３０６のいずれかをタップ操作することで、固定モード、物体追尾モード、顔検出追尾モード、顔認識追尾モードのうちから所望のモードを選択することできるようになっている。
【００８４】
固定モードは、ＡＦ枠の範囲（位置、大きさ、形状）を操作者がマニュアル操作で指定し、その指定した位置にＡＦ枠を固定するモード（マニュアルモード）である。この固定モードは、カメラをほとんど動かさないニュース番組などでの撮影に有益なモードである。
【００８５】
物体追尾モードは、任意の種類の物体をＡＦ枠で追尾させるモードである。この物体追尾モードは、人物の顔以外を追尾する競馬中継、カ−レース中継などでの撮影に有益なモードである。
【００８６】
顔検出追尾モードは、任意の人物の顔をＡＦ枠で追尾させるモードである。この顔検出追尾モードは、人物の顔を検出して追尾する歌謡番組などでの撮影に有益なモードである。
【００８７】
顔認識追尾モードは、事前に認証データとして登録した人物の顔をＡＦ枠で追尾させるモードである。この顔認識追尾モードは、撮影する人物が事前に決まっている歌謡番組やスポーツ中継などでの撮影に有益なモードである。
【００８８】
”セット”と表示されたセットボタン３０８と、”リセット”と表示されたリセットボタン３１０は、ＡＦ枠自動追尾の開始と停止を指示するボタンであり、これらのボタン３０８、３１０は、ＡＦ枠自動追尾の開始又は停止の指示を操作者が行う制御モード（物体追尾モード、顔検出モード）が選択された場合にのみ表示される。尚、これらのセットボタン３０８とリセットボタン３１０は、ＡＦ枠操作部６０の追尾開始スイッチ１０８と追尾停止スイッチ１１０（図１及び図２参照）と同様に作用するボタンである。
【００８９】
”小”、”中”、”大”と表示されたＡＦ枠サイズ選択ボタン３１２（小ボタン３１２ａ、中ボタン３１２ｂ、大ボタン３１２ｃ）は、四角形で形状（縦横比）が一定のＡＦ枠２０４の大きさを、予め決められた３つの異なる大きさの中から選択するためのボタンであり、小ボタン３１２ａ、中ボタン３１２ｂ、大ボタン３１２ｃのいずれかをタップ操作することにより、ＡＦ枠２０４の大きさを瞬時に変更することができるようになっている。小ボタン３１２ａをタップ操作したときが一番小さいサイズのＡＦ枠となり、大ボタン３１２ｃをタップ操作したときが一番大きいサイズのＡＦ枠となる。
【００９０】
”表示オフ”と表示されたメニュー表示オン／オフボタン３１４は、このボタン３１４以外のメニュー画面（メニュー画像）の表示をオフするためのボタンであり、メニュー表示オン／オフボタン３１４をタップ操作すると、メニュー画面のボタン３００〜３１２の表示がオフされる。
【００９１】
そこで、フォーカスデマンド２６の本体２６ａに設けられた表示モード切換スイッチ３２によりＬＣＤ４０の表示モードを台本表示モードにする。すると、ＬＣＤ４０は図５に示すような台本情報の画像に切り換わる。
【００９２】
そして、ＬＣＤ４０に映し出された台本情報を読み、その台本情報に示された撮影方法に従って、右手でフォーカス操作を行い、左手でズーム操作を行う。
【００９３】
その際、カメラマンは、ＬＣＤ４０に映し出された台本情報を読み終えると、ＰＡＧＥＵＰボタン３２Ａ、ＰＡＧＥＤＯＷＮボタン３２Ｂを押圧し、ＬＣＤ４０に表示された台本情報のページを切り換える。ＰＡＧＥＵＰボタン３２ＡとＰＡＧＥＤＯＷＮボタン３２Ｂはフォーカスデマンド２６に設けられているので、カメラマンは、右手をフォーカスデマンド２６から離すことなく、ＰＡＧＥＵＰボタン３２ＡとＰＡＧＥＤＯＷＮボタン３２Ｂを押圧することができる。したがって、カメラマンは、両手でテレビカメラ１０をフォーカス操作、ズーム操作しながら、台本を読むことができる。
【００９４】
ＬＣＤ４０に乗っているｗｉｎｄｏｗｓのＯＳを利用して、台本情報を表示できる点で有効である。
【００９５】
そして、フォーカスデマンド２６の本体２６ａに設けられた表示モード切換スイッチ３２によりＬＣＤ４０の表示モードをＡＦ枠追尾表示モードにすると、ＬＣＤ４０の表示モードがＡＦ枠追尾表示モードとなり、再び前記の図４に示すように、ＬＣＤ４０にＡＦ枠制御指示画像が表示される。
【００９６】
以上のように、カメラマンは表示モード切換スイッチ３２によりＡＦ枠追尾表示モードと台本表示モードの切換えを任意に行なうことができる。そして、ＰＡＧＥＵＰボタン３２ＡとＰＡＧＥＤＯＷＮボタン３２Ｂを操作することにより、ＬＣＤ４０に表示される台本のページを切り換えることができる。
【００９７】
このように、ＡＦ枠制御指示画像を表示するＬＣＤ４０に台本情報の画像を表示する機能も持たせることは、ＬＣＤ４０のＯＳ（オペレーティングシステム）をそのまま利用して台本情報の画像を表示させることができる点で有効である。特に、ＬＣＤ４０にインストールされたソフトウェアと台本情報を作成したソフトウェアとの間に互換性があれば、台本情報の入力が極めて容易になる。
【００９８】
なお、ＬＣＤ４０の表示モードがＡＦ枠追尾表示モードまたは台本表示モードのときに、ＬＣＤ４０にＡＦ枠制御指示画像と台本情報の画像の両方の画像を形成してもよい。例えば、図６に示すように、ＡＦ枠制御指示画像と台本情報の画像を重ね合わせて表示してもよい。また、図７に示すように、台本情報の画像を横方向に分割して上側を切り抜き、その切り抜いた部分に、ＡＦ枠制御指示画像を嵌め込んでもよい。また、図示しないが、台本情報の画像を縦方向に分割して右側または左側を切り抜き、その切り抜いた部分に、ＡＦ枠制御指示画像を嵌め込んでもよい。
【００９９】
なお、ＰＡＧＥＵＰボタン３２ＡとＰＡＧＥＤＯＷＮボタン３２Ｂの設置場所は、上述した実施の形態に限定するものではない。例えば、図８に示すように、ズームレートデマンド２８にＰＡＧＥＵＰボタン３２ＡとＰＡＧＥＤＯＷＮボタン３２Ｂを設けてもよい。これにより、サムリング３４を回動操作しながら、台本のページめくり操作を行うことができる。
【０１００】
また、図９に示す如く、ズームレートデマンド２８のグリップ２８ＢにＰＡＧＥＵＰボタン３２ＡとＰＡＧＥＤＯＷＮボタン３２Ｂを設けることによって、親指以外の指（例えば人指し指）でＰＡＧＥＵＰボタン３２ＡとＰＡＧＥＤＯＷＮボタン３２Ｂを操作できるようにしてもよい。
【０１０１】
また、表示モード切換スイッチ３２や、ＰＡＧＥＵＰボタン３２ＡとＰＡＧＥＤＯＷＮボタン３２Ｂを、各々、ＬＣＤ４０内のタッチパネルの画面上に設けてもよい。
【０１０２】
なお、表示モード切換スイッチ３２や、ＰＡＧＥＵＰボタン３２ＡとＰＡＧＥＤＯＷＮボタン３２Ｂを上記に述べたような複数個所に重畳的に設置してもよい。
【０１０３】
その他、ＬＡＮに繋げて外部の表示機器に台本情報の画像が表示してもよい。
【０１０４】
以上のように、本実施形態のテレビカメラ装置の電子台本装置によれば、ビューファインダ３６にて表示されたＡＦ枠の制御に関する指示をするための各種ボタン３００〜３１４からなるメニュー画像をテレビカメラ１０の撮影画像に重畳させて表示するＬＣＤ４０と、ＬＣＤ４０の表示を制御するものであって読み込んだ台本情報の画像をＬＣＤ４０に表示させる制御機能を備えるＣＰＵ７８と、ＬＣＤ４０に表示された台本情報の画像を操作するＰＡＧＥＵＰボタン３２ＡとＰＡＧＥＤＯＷＮボタン３２Ｂとを有するので、カメラマンは煩雑さを解消しつつテレビカメラ装置を両手で操作しながら台本をページめくりすることができる。
【０１０５】
以上、本発明のテレビカメラ装置について詳細に説明したが、本発明は、以上の例には限定されず、本発明の要旨を逸脱しない範囲において、各種の改良や変形を行ってもよいのはもちろんである。
【図面の簡単な説明】
【０１０６】
【図１】本発明が適用されるテレビカメラシステムの一実施の形態を示した外観図である。
【図２】フォーカスデマンドの外観図である。
【図３】テレビカメラシステムに適用されるＡＦ枠自動追尾・台本表示システムの全体構成を示したブロック図である。
【図４】ＬＣＤのＡＦ枠追尾表示例を示す図である。
【図５】ＬＣＤの台本表示例を示す図である。
【図６】ＬＣＤにＡＦ枠追尾画像と台本画像を重ね合わせて表示した例を示す図である。
【図７】ＬＣＤに台本画像を分割して切り抜いた部分にＡＦ枠追尾画像を嵌め込んで表示した例を示す図である。
【図８】ズームレートデマンドにＰＡＧＥＵＰボタンとＰＡＧＥＤＯＷＮボタンを設けた例を示す図である。
【図９】ズームレートデマンドのグリップにＰＡＧＥＵＰボタンとＰＡＧＥＤＯＷＮボタンを設けた例を示す図である。
【符号の説明】
【０１０７】
１…ＡＦ枠自動追尾システム、１０…テレビカメラ、１２…レンズ装置、１４…カメラ本体、２６…フォーカスデマンド、３２…表示モード切換スイッチ、３２Ａ…ＰＡＧＥＵＰボタン、３２Ｂ…ＰＡＧＥＤＯＷＮボタン、３６…ビューファインダ、４０…タッチパネル付き液晶ディスプレイ（ＬＣＤ）、５０…フォーカス操作部、５８…画像処理ユニット、６０…ＡＦ枠操作部、６６…ＡＦユニット、６８…ダウンコンバータ、７０…メインボード、７２…パターンマッチング処理演算ボード、７４…顔認識処理演算ボード、７６…デコーダ、７８、９０、９２…ＣＰＵ、８２…スーパーインポーザ、１１４…データカード、１１５…スロット、２００…ＡＦエリア、２０４…ＡＦ枠、３００…固定モード選択ボタン、３０２…物体追尾モード選択ボタン、３０４…顔検出追尾モード選択ボタン、３０６…顔認識追尾モード選択ボタン、３０８…セットボタン、３１０…リセットボタン、３１２…ＡＦ枠サイズ選択ボタン、３１２ａ…小ボタン、３１２ｂ…中ボタン、３１２ｃ…大ボタン、３１４…メニュー表示オフボタン
【図１】
2010148039.tif 000003
【図２】
2010148039.tif 000004
【図３】
2010148039.tif 000005
【図４】
2010148039.tif 000006
【図５】
2010148039.tif 000007
【図６】
2010148039.tif 000008
【図７】
2010148039.tif 000009
【図８】
2010148039.tif 000010
【図９】
2010148039.tif 000011